(57)【特許請求の範囲】
【請求項１】
液晶表示パネルと、
前記液晶表示パネルの表示画面に対向して配置される可動体と、
前記可動体を前記液晶表示パネルの表示画面に対向させた状態で移動させる可動体駆動機構と、
前記液晶表示パネルの表示画面における第１表示領域での画像及び第２表示領域での所定のマークの表示制御を行う表示制御手段と、
前記表示制御手段の表示制御により前記液晶表示パネルの表示画面における前記第２表示領域を移動するように表示される前記マークの動きに応じて前記可動体が移動するように前記可動体駆動機構を制御する駆動制御手段とを有し、
前記表示制御手段は、前記液晶表示パネルの表示画面における前記第１表示領域に表示される画像オブジェクトの位置と、前記第２表示領域に表示される前記マークの位置とが関連するように、当該画像オブジェクトの前記第１表示領域での表示制御及び当該マークの前記第２表示領域での表示制御を行い、
前記可動体駆動機構は、前記可動体を前記液晶表示パネルの表示画面に対向させた状態で直線状に往復動させるものであって、
前記液晶表示パネルの表示画面における前記第２表示領域は、前記可動体の軌道と同方向に延び、
前記駆動制御手段は、前記液晶表示パネルの表示画面における前記第２表示領域に表示される前記マークの動きを検出するマーク動き検出手段と、
前記マーク動き検出手段にて検出される前記マークの動きに基づいて、前記可動体が前記液晶表示パネルの表示画面における前記第２表示領域を移動する前記マークの動きに追従して移動するように前記可動体駆動機構の動作を制御する動作制御手段とを有し、
前記マーク動き検出手段は、前記液晶表示パネルの表示画面における前記第２表示領域に対向して配置され、前記第２表示領域に表示される前記マークが発する光を検出する複数の光検出器を有し、
該複数の光検出器それぞれでの光の検出レベルの変化を前記マークの動きとして検出し、
前記複数の光検出器は、前記可動体に一体的に設けられ、
前記複数の光検出器は、前記液晶表示パネルの表示画面における前記第２表示領域の延びる方向に所定間隔をもって配列された第１光検出器及び第２光検出器を含み、
前記動作制御手段は、前記第１光検出器での光の検出レベルと前記第２光検出器での光の検出レベルとの差が所定範囲内に維持されるように前記可動体を移動させるべく前記可動体駆動機構を制御する表示装置。
【請求項２】
前記表示制御手段は、
前記液晶表示パネルの表示画面における前記第１表示領域での前記画像の表示制御を行う第１画像表示制御手段と、
前記液晶表示パネルの表示画面における前記第２表示領域での前記マークの表示制御を行う第２画像表示制御手段とを有し、
前記第１画像表示制御手段及び前記第２画像表示制御手段は、前記液晶表示パネルの表示画面における前記第１表示領域に表示される画像オブジェクトの位置と、前記第２表示領域に表示される前記マークの位置とが関連するように、当該画像オブジェクトの前記第１表示領域での表示制御及び当該マークの前記第２表示領域での表示制御を行う請求項１記載の表示装置。
【請求項３】
前記第１画像表示制御手段は、前記液晶表示パネルの表示画面における前記第２表示領域に表示される前記マークの位置に応じて前記第１表示領域に表示する前記画像オブジェクトの位置を制御する表示画像オブジェクト位置制御手段を有する請求項２記載の表示装置。
【請求項４】
前記表示制御手段は、前記液晶表示パネルの表示画面における前記第２表示領域の背景部分を、前記第１表示領域に表示される前記画像オブジェクトにおける所定程度以上の明るさの差をもった明部及び暗部のうち、前記暗部の明るさと同じ明るさにて表し、前記マークを、前記明部の明るさと同じ明るさにて表す請求項１乃至３のいずれかに記載の表示装置。
【請求項５】
前記明部は、前記画像オブジェクトにおける最も明るい部分であり、
前記暗部は、前記画像オブジェクトにおける最も暗い部分である請求項４記載の表示装置。
【請求項６】
前記液晶表示パネルは、矩形形状の表示画面を有し、
前記表示画面は、上辺から第１幅の領域が前記第１表示領域として設定され、
該第１表示領域の下方の前記第１幅より小さい第２幅の領域が前記第２表示領域に設定されている請求項１乃至５のいずれかに記載の表示装置。
【発明の詳細な説明】
【技術分野】
【０００１】
本発明は、液晶表示パネルの表示画面に画像を表示する表示装置に関する。
【背景技術】
【０００２】
液晶表示パネルの表示画面に画像を表示する表示装置が知られている。この液晶表示パネルを用いた表示装置では、周辺温度や当該表示装置の内部温度の変化による液晶表示パネルの温度変動に起因して液晶の応答速度が変動する。このため、その液晶の応答速度の変動により、液晶表示パネルの表示画面上での画像の切り替わりの速さや動画像の動きが変動し得る。このような事情から、従来の表示装置（特許文献１）では、温度に対応した補正データを予めメモリに記憶させておき、画像表示に際して、実際の温度に対応した補正データをメモリから読み出し、その補正データ用いて画像を表す階調データを制御することにより、応答速度の低下を補正するようにしている。このような表示装置によれば、液晶表示パネルにおける液晶の応答速度の変動が抑制され、液晶表示パネルの表示画面に画像（静止画、動画）を安定して表示させることができる。
【先行技術文献】
【特許文献】
【０００３】
【特許文献１】特開２００５−４２０３号公報
【発明の概要】
【発明が解決しようとする課題】
【０００４】
ところで、液晶表示パネルの表示画面に対向して配置される可動体を備え、その可動体と表示画面に表示される画像オブジェクトとが対応するように、前記可動体を移動させるとともに前記表示画面上において表示される画像オブジェクトを動かすようにした表示装置が考えられる。例えば、図１Ａ及び図１Ｂに示すように、液晶表示パネル１２の表示画面１２０に対向して配置される半円弧状の第１可動半円枠体２０ａ及び第２可動半円枠体２０ｂを備え、第１可動半円枠体２０ａと表示画面１２０に表示されるスピードメータの第１画像オブジェクトＩＯａとが対応するように、また、第２可動半円枠体２０ｂと表示画面１２０に表示されるタコメータの第２画像オブジェクトＩＯｂとが対応するように、第１可動半円枠体２０ａ及び第２可動半円枠体２０ｂを直線移動させるとともに表示画面１２０上において表示される第１画像オブジェクトＩＯａ（スピードメータ）及び第２画像オブジェクトＩＯｂ（タコメータ）を動かすようにした車載表示装置（クラスターディスプレイ装置）が考えられる。このような車載表示装置では、液晶表示パネル１２の表示画面１２０に表示される画像オブジェクトＩＯａ、ＩＯｂ（スピードメータ、タコメータ）を可動体（第１可動半円枠体２０ａ、第２可動半円枠体２０ｂ）と一体的な臨場感のある表示物として利用者に提供することができる。
【０００５】
このような表示装置では、可動体の液晶表示パネルの表示画面との相対的な位置を検出する必要がある。これにより、検出される可動体の位置に合わせるように液晶表示パネルの表示画面に画像オブジェクトを表示させることができ、また、検出される可動体の位置が前記表示画面に表示される画像オブジェクトに対応する位置になるように当該可動体を移動させることができる。この可動体の位置を検出するための検出器として、一般的に、ＬＰＳ（Linear Position Sensor）等のポテンショメータを用いることができる。
【０００６】
しかしながら、ＬＰＳ等のポテンショメータは、その抵抗値が、温度の変化により変動し、また、経年変化してしまう。このため、ポテンショメータによって可動体の正確な位置を検出するためには、温度に対応した抵抗値の補正データを予め記憶しておく必要があり、また、所定期間使用する毎に、位置と抵抗値との関係を校正する必要がある。
【０００７】
可動体と表示画面に表示される画像オブジェクトとが精度良く対応するように、前記可動体を移動させ、また、前記表示画面上において表示される画像オブジェクトを動かすようにする場合、前述したように、液晶の応答速度を補正するために多くの補正データが必要であり、また、ポテンショメータの抵抗値を補正するためにも多くの補正データが必要となる。更に、液晶の応答速度の温度に応じた変化の特性は、液晶の種類（例えば、ＴＮ方式、ＶＡ方式、ＩＰＳ方式）に応じて異なるので、それら液晶の種類まで考慮すると、更に多くの補正データが必要になってしまう。このため、可動体と表示画面に表示される画像オブジェクトとが精度良く対応するように、前記可動体を移動させ、また、前記表示画面上において表示される画像オブジェクトを動かすことが難しい。
【０００８】
本発明は、このような事情に鑑みてなされたもので、可動体と表示画面に表示される画像オブジェクトとを容易に精度良く対応させることのできる表示装置を提供するものである。
【課題を解決するための手段】
【０００９】
本発明に係る表示装置は、液晶表示パネルと、前記液晶表示パネルの表示画面に対向して配置される可動体と、前記可動体を前記液晶表示パネルの表示画面に対向させた状態で移動させる可動体駆動機構と、前記液晶表示パネルの表示画面における第１表示領域での画像及び第２表示領域での所定のマークの表示制御を行う表示制御手段と、前記表示制御手段の表示制御により前記液晶表示パネルの表示画面における前記第２表示領域を移動するように表示される前記マークの動きに応じて前記可動体が移動するように前記可動体駆動機構を制御する駆動制御手段とを有し、前記表示制御手段は、前記液晶表示パネルの表示画面における前記第１表示領域に表示される画像オブジェクトの位置と、前記第２表示領域に表示される前記マークの位置とが関連するように、当該画像オブジェクトの前記第１表示領域での表示制御及び当該マークの前記第２表示領域での表示制御を行い、前記可動体駆動機構は、前記可動体を前記液晶表示パネルの表示画面に対向させた状態で直線状に往復動させるものであって、前記液晶表示パネルの表示画面における前記第２表示領域は、前記可動体の軌道と同方向に延び、前記駆動制御手段は、前記液晶表示パネルの表示画面における前記第２表示領域に表示される前記マークの動きを検出するマーク動き検出手段と、前記マーク動き検出手段にて検出される前記マークの動きに基づいて、前記可動体が前記液晶表示パネルの表示画面における前記第２表示領域を移動する前記マークの動きに追従して移動するように前記可動体駆動機構の動作を制御する動作制御手段とを有し、前記マーク動き検出手段は、前記液晶表示パネルの表示画面における前記第２表示領域に対向して配置され、前記第２表示領域に表示される前記マークが発する光を検出する複数の光検出器を有し、該複数の光検出器それぞれでの光の検出レベルの変化を前記マークの動きとして検出し、前記複数の光検出器は、前記可動体に一体的に設けられ、前記複数の光検出器は、前記液晶表示パネルの表示画面における前記第２表示領域の延びる方向に所定間隔をもって配列された第１光検出器及び第２光検出器を含み、前記動作制御手段は、前記第１光検出器での光の検出レベルと前記第２光検出器での光の検出レベルとの差が所定範囲内に維持されるように前記可動体を移動させるべく前記可動体駆動機構を制御する構成となる。
【００１０】
このような構成により、液晶表示パネルの表示画面に対向して配置された可動体は、液晶表示パネルの表示画面における第２表示領域に表示されるマークの当該第２表示領域での動きに応じて移動し、液晶表示パネルの表示画面における第１表示領域に表示される画像オブジェクトの位置が第２表示領域に表示される前記マークの位置に関連するように、前記画像オブジェクトが前記第１表示領域に表示されるとともに前記マークが前記第２表示領域に表示される。その結果、液晶表示パネルの表示画面における前記第２表示領域に表示される前記マークを介して、液晶表示パネルの表示画面における前記第１表示領域に表示される画像オブジェクトの動きと液晶表示パネルの表示画面に対向して配置される可動体の動きとが対応づけられる。また、このような構成により、可動体が、液晶表示パネルの表示画面に対向した状態で、当該液晶表示パネルの表示画面における第２表示領域を移動するマークの動きに応じて直線状に移動するようになる。また、このような構成により、液晶表示パネルの表示画面における第２表示領域に表示されるマークの動きが検出され、その検出される前記マークの動きに基づいて、可動体が、当該マークの前記第２表示領域での動きに追従して移動するようになる。また、このような構成により、液晶表示パネルの表示画面における第２表示領域を移動するマークと該第２表示領域に対向して配置された複数の光検出器それぞれとの相対的な位置関係が変化する際における前記複数の光検出器それぞれでの前記マークから発せられる光の検出レベルの変化が前記マークの動きとして検出される。さらに、このような構成により、前記複数の光検出器での液晶表示パネルの表示画面における第２表示領域を移動するマークの前記複数の光検出器それぞれでの光の検出レベルの変化を、前記第２表示領域に対向する可動体の移動に直接的に対応づけることができる。さらに、このような構成により、液晶表示パネルの表示画面における第２表示領域をマークが移動する際に、可動体に一体的に設けられ、前記第２表示領域が延びる方向に所定間隔をもって配列された第１光検出器及び第２光検出器での前記マークが発する光の検出レベルの差が所定範囲に維持されるように前記可動体が移動する。
【００１１】
本発明に係る表示装置において、前記表示制御手段は、前記液晶表示パネルの表示画面における前記第１表示領域での前記画像の表示制御を行う第１画像表示制御手段と、前記液晶表示パネルの表示画面における前記第２表示領域での前記マークの表示制御を行う第２画像表示制御手段とを有し、前記第１画像表示制御手段及び前記第２画像表示制御手段は、前記液晶表示パネルの表示画面における前記第１表示領域に表示される画像オブジェクトの位置と、前記第２表示領域に表示される前記マークの位置とが関連するように、当該画像オブジェクトの前記第１表示領域での表示制御及び当該マークの前記第２表示領域での表示制御を行う構成とすることができる。
【００１２】
このような構成により、液晶表示パネルの表示画面における第１表示領域での画像の表示領域を行う第１画像表示制御手段と、第２表示領域でのマークの表示制御を行う第２画像表示制御手段とによって、前記液晶表示パネルの表示画面における前記第１表示領域に表示される画像オブジェクトの位置が第２表示領域に表示される前記マークの位置に関連するように、前記画像オブジェクトが前記第１表示領域に表示されるとともに前記マークが前記第２表示領域に表示される。
【００１３】
また、本発明に係る表示装置において、前記第１画像表示制御手段は、前記液晶表示パネルの表示画面における前記第２表示領域に表示される前記マークの位置に応じて前記第１表示領域に表示する前記画像オブジェクトの位置を制御する表示画像オブジェクト位置制御手段を有する構成とすることができる。
【００１４】
このような構成により、液晶表示パネルの表示画面における第２表示領域に表示されるマークの位置に応じて第１表示領域に表示される画像オブジェクトの位置が制御され、同時に、前記第２表示領域での前記マークの動きに応じて可動体が移動する。その結果、液晶表示パネルの表示画面における前記第１表示領域において画像オブジェクトは、前記可動体に対応した位置に表示される。
【００１５】
また、本発明に係る表示装置において、前記表示制御手段は、前記液晶表示パネルの表示画面における前記第２表示領域の背景部分を、前記第１表示領域に表示される前記画像オブジェクトにおける所定程度以上の明るさの差をもった明部及び暗部のうち、前記暗部の明るさにて表し、前記マークを、前記明部の明るさにて表す構成とするこことができる。
【００１６】
このような構成により、液晶表示パネルの表示画面における第２表示領域では、第１表示領域に表示される画像オブジェクトにおける所定程度以上の明るさの差をもった明部及び暗部のうち、その暗部の明るさを背景として、前記明部の明るさのマークが移動する。液晶表示パネルの表示画面では、一般的に、明るさの程度の差がより大きい明部と暗部との間での変化の応答性がより良好である。このため、第１表示領域において表示された画像オブジェクトが移動する際に、第２表示領域では、当該第１表示領域に表示される画像オブジェクトにおける所定程度以上の明るさの差をもった明部及び暗部のうち、その暗部の明るさを背景として、前記明部の明るさのマークが移動するので、第１表示領域に表示される画像オブジェクトと第２表示領域に表示されるマークとの動きとを比較的良好に対応させることができる。その結果、前記第２表示領域に表示されるマークの動きに応じて移動する前記可動体と、前記第１表示領域に表示される画像オブジェクトの動きとをより良好に対応させることができる。
【００１７】
更に、本発明に係る表示装置において、前記明部は、前記画像オブジェクトにおける最も明るい部分であり、前記暗部は、前記画像オブジェクトにおける最も暗い部分である構成とすることができる。
【００１８】
このような構成により、液晶表示パネルの表示画面における第２表示領域では、第１表示領域に表示される画像オブジェクトにおける最も暗い部分の明るさを背景として、前記画像オブジェクトにおける最も明るい部分の明るさのマークが移動するので、第１表示領域に表示される画像オブジェクトと第２表示領域に表示されるマークとの動きとを更に良好に対応させることができ、それにより、前記第２表示領域に表示されるマークの動きに応じて移動する前記可動体と、前記第１表示領域に表示される画像オブジェクトの動きとを更に良好に対応させることができる。
【００３１】
更に、本発明に係る表示装置において、前記液晶表示パネルは、矩形形状の表示画面を有し、前記表示画面は、上辺から第１幅の領域が前記第１表示領域として設定され、該第１表示領域の下方の前記第１幅より小さい第２幅の領域が前記第２表示領域に設定されている構成とすることができる。
【００３２】
このような構成により、液晶表示パネルの矩形形状となる表示画面において、第１表示領域に表示される画像オブジェクトの横方向の位置と、前記第１表示領域の下方の第２表示領域に表示されるマークの横方向の位置とが関連するように、前記画像オブジェクト及び前記マークが前記第１表示領域及び前記第２表示領域を移動し得る。
【発明の効果】
【００３３】
本発明に係る表示装置によれば、液晶表示パネルの表示画面において画像オブジェクトの表示される第１表示領域と同じ応答速度特性となる第２表示領域に表示される前記マークを介して、前記第１表示領域に表示される画像オブジェクトの動きと液晶表示パネルの表示画面に対向して配置される可動体の動きとが対応づけられるようになるので、前記可動体と表示画面に表示される画像オブジェクトとを容易に精度良く対応させることができる。
【図面の簡単な説明】
【００３４】
【図１Ａ】液晶表示パネルの表示画面に対向して配置される第１可動半円枠体及び第２可動半円枠体に合わせて前記表示画面に画像オブジェクト（スピードメータ、タコメータ）が表示された例（その１）を示す図である。
【図１Ｂ】液晶表示パネルの表示画面に対向して配置される第１可動半円枠体及び第２可動半円枠体に合わせて前記表示画面に画像オブジェクト（スピードメータ、タコメータ）が表示された例（その２）を示す図である。
【図２】本発明の実施の一形態に係る表示装置の機構系の基本的な構成を示す図である。
【図３】液晶表示パネルの表示画面の領域構成を示す図である。
【図４】液晶表示パネルの表示画面に対向して配置される可動体の構造例を示す斜視図である。
【図５】本発明の実施の一形態に係る表示装置の制御処理系の基本的な構成を示すブロック図である。
【図６】液晶表示パネルの表示画面におけるマーク表示領域に表示されるマークの移動と、第１受光素子及び第２受光素子が一体となる第１可動半円枠体の動きとの関係を模式的に示す図である。
【図７】液晶表示パネルの表示画面におけるマーク表示領域に表示される２つのマークの動き、第１受光素子及び第２受光素子が一体となる第１可動半円枠体の動き、及び第１受光素子及び第２受光素子が一体となる第２可動半円枠体の動きの関係を示す図である。
【図８Ａ】２つの画像オブジェクトの表示される画像表示領域（第１表示領域）と２つのマークが表示されるマーク表示領域（第２表示領域）とを示す図（その１）である。
【図８Ｂ】２つの画像オブジェクトの表示される画像表示領域（第１表示領域）と２つのマークが表示されるマーク表示領域（第２表示領域）とを示す図（その２）である。
【図９】制御ユニットにて実行される表示処理の手順を示すフローチャートである。
【図１０】制御ユニットにて実行される可動体（第１可動半円枠体、第２可動半円枠体）の動作制御の処理手順を示すフローチャートである。
【図１１】初期状態で接合する第１可動半円枠体及び第２可動半円枠体を示す平面図（ａ）と正面図（ｂ）である。
【図１２】初期状態で接合する第１可動半円枠体及び第２可動半円枠体と、該第１可動半円枠体及び第２可動半円枠体に対応させて表示画面（画像表示領域）に画像オブジェクトが表示された液晶表示パネルとを示す平面図（ａ）及び正面図（ｂ）である。
【図１３】初期状態で接合する第１可動半円枠体及び第２可動半円枠体と、該第１可動半円枠体及び第２可動半円枠体に対応させて表示画面（画像表示領域）に他の画像オブジェクトが表示された液晶表示パネルとを示す平面図（ａ）及び正面図（ｂ）である。
【図１４】移動する第１可動半円枠体及び第２可動半円枠体と、その移動する第１可動半円枠体に対応させて表示画面（画像表示領域）に画像オブジェクトが表示される液晶表示パネルとを示す平面図（ａ）及び正面図（ｂ）である。
【図１５】移動した第１可動半円枠体及び第２可動半円枠体と、該第１可動半円枠体及び第２可動半円枠体に対応させて表示画面（画像表示領域）に２つの画像オブジェクトが表示された液晶表示パネルとを示す平面図（ａ）及び正面図（ｂ）である。
【図１６】移動する第１可動半円枠体及び第２可動半円枠体と、その移動する第１可動半円枠体及び第２可動半円枠体に対応させて表示画面（画像表示領域）に２つの画像オブジェクトが表示される液晶表示パネルを示す平面図（ａ）及び正面図（ｂ）である。
【図１７】第１可動半円枠体及び第２可動半円枠体と、該第１可動半円枠体及び第２可動半円枠体に対応させて表示画面（画像表示領域）に表示された２つの画像オブジェクトのうち、第２可動半円枠体に対応させて表示されていた画像オブジェクトが消えた状態の液晶表示パネルを示す平面図（ａ）及び正面図（ｂ）である。
【図１８】接合する第１可動半円枠体及び第２可動半円枠体と、該第１可動半円枠体及び第２可動半円枠体に対応させて表示画面（画像表示領域）に画像オブジェクトが表示されるとともに車両周囲の撮影映像が表示された液晶表示パネルの平面図（ａ）及び正面図（ｂ）である。
【図１９】接合して移動した第１可動半円枠体及び第２可動半円枠体と、該第１可動半円枠体及び第２可動半円枠体に対応させて表示画面（画像表示領域）に画像オブジェクトが表示されるとともに車両周囲及び車両後方の撮影映像が表示された液晶表示パネルの平面図（ａ）及び正面図（ｂ）である。
【図２０Ａ】ＴＮ方式及びＶＡ方式で駆動される液晶表示パネルの各温度に対応した応答速度特性の一例を示す図である。
【図２０Ｂ】ＴＮ方式及びＶＡ方式で駆動される液晶表示パネルでの変動階調差の違い（１０％→９０％、３０％→７０％））による応答速度の特性の違いを示す図である。
【図２１Ａ】ＩＳＰ方式で駆動される液晶表示パネルの各温度に対応した応答速度特性の一例を示す図である。
【図２１Ｂ】ＩＳＰ方式で駆動される液晶表示パネルでの変動階調差の違い（１０％→９０％、３０％→７０％）による応答速度の特性の違いを示す図である。
【発明を実施するための形態】
【００３５】
本発明の実施の形態について図面を用いて説明する。
【００３６】
本発明の実施の一形態に係る表示装置の機構系は図２に示すように構成される。この表示装置は、車両に搭載され、当該車両において必要な情報を表示するための車載表示装置である。
【００３７】
図２において、液晶表示パネル１２は、矩形形状の表示画面１２０を有している。表示画面１２０に対向して第１可動半円枠体２０ａ及び第２可動半円枠体２０ｂが配置されている。これら第１可動半円枠体２０ａ及び第２可動半円枠体２０ｂは、表示画面１２０に沿って往復動可能となり、接合した状態でリング状の枠体を形成する。第１可動半円枠体２０ａの下端部から第１支持部２１ａが下方に延びている。また、第１可動半円枠体２０ａの駆動機構（可動体駆動機構）として、第１螺子スリーブ２２ａ、第１モータ１５（ステッピングモータ）及び第１スクリューバー１８が設けられている。第１支持部２１ａの先端に第１螺子スリーブ２２ａが固定されており、この第１螺子スリーブ２２ａに、第１モータ１５によって回転する第１スクリューバー１８が螺合している。第１モータ１５によって第１スクリューバー１８が回転すると、第１螺子スリーブ２２ａが第１スクリューバー１８の回転方向に応じた方向に移動し、これにより、第１螺子スリーブ２２ａに第１支持部２１ａを介して固定された第１可動半円枠体２０ａが液晶表示パネル１２の表示画面１２０に対向した状態で直線動する。第２可動半円枠体２０ｂの下端部からも第２支持部材２１ｂが延びている。また、第２可動半円枠体２０ｂの駆動機構（可動体駆動機構）として、第２螺子スリーブ２２ｂ、第２モータ１７（ステッピングモータ）及び第２スクリューバー１９が設けられている。第２支持部２１ｂの先端に第２螺子スリーブ２２ｂが固定されており、この第２螺子スリーブ２２ｂに、第２モータ１７によって回転する第２スクリューバー１９が螺合している。第２モータ１７によって第２スクリューバー１９が回転すると、第２螺子スリーブ２２ｂが第２スクリューバー１９の回転方向に応じた方向に移動し、これにより、第２螺子スリーブ２２ｂに第２支持部２１ｂを介して固定された第２可動半円枠体２０ｂが液晶表示パネル１２の表示画面１２０に対向した状態で直線動する。
【００３８】
液晶表示パネル１２の表示画面１２０において、図３に示すように、上辺から所定画素数分（例えば、縦方向全４８０画素のうち４７９画素分）の第１幅の領域が画像データに応じた画像を表示する画像表示領域１２１（第１表示領域）として設定され、画像表示領域１２１の下方に続く前記第１幅に相当する画素数より少ない所定画素数（例えば、１画素）分の第２幅の領域がマーク表示領域１２２（第２表示領域）として設定されている。マーク表示領域１２２においては、比較的暗い階調（輝度、濃度）の背景部分ＥＢＫに、第１可動半円枠体２０ａに対応させた比較的明るい階調の第１マークＣＭＲ（例えば、ドットマーク）と、第２可動半円枠体２０ｂに対応させた比較的明るい階調の第２マークＣＭＬ（例えば、ドットマーク）とが後述するように表示される。そして、液晶表示パネル１２の表示画面１２０に対向して配置される第１可動半円枠体２０ａに続く第１支持部２１ａの前記マーク表示領域１２２に対向する部位に、図２とともに図４に拡大して示すように、第１フォトセンサ３１ａ（第１光検出器）及び第２フォトセンサ３２ａ（第２光検出器）が設けられている。これら第１フォトセンサ３１ａと第２フォトセンサ３２ａとは、マーク表示領域１２２が延びる方向に所定間隔をもって配列されている。また、同様に、液晶表示パネル１２の表示画面１２０に対向して配置される第２可動半円枠体２０ｂに続く第２支持部２１ｂの前記マーク表示領域１２２に対向する部位に、図２とともに図４に拡大して示すように、第１フォトセンサ３１ｂ（第１光検出器）及び第２フォトセンサ３２ｂ（第２光検出器）が設けられている。これら第１フォトセンサ３１ｂ及び第２フォトセンサ３２ｂもまた、マーク表示領域１２２が延びる方向に所定間隔をもって配列されている。
【００３９】
第１可動半円枠体２０ａに対して設けられた第１フォトセンサ３１ａ及び第２フォトセンサ子３２ａは、液晶表示パネル１２の表示画面１２０におけるマーク表示領域１２２に表示される第１マークＣＭＲから発せられる光を検出するためのもので、その検出光量に応じたレベルの検出信号を出力する。また、第２可動半円枠体２０ｂに対した設けられた第１フォトセンサ３１ｂ及び第２フォトセンサ３２ｂは、マーク表示領域１２２に表示される第２マークＣＭＬから発せられる光を検出するためのもので、その検出光量に応じたレベルの検出信号を出力する。
【００４０】
この表示装置の制御処理系は図５に示すように構成される。
【００４１】
図５において、この表示装置は、制御ユニット１０、グラフィックコントローラ１１及び操作部１３を有している。グラフィックコントローラ１１は、操作部１３での操作に基づいた制御ユニット１０の制御のもと、液晶表示パネル１２の表示画面１２０における画像表示領域１２１での画像の表示制御及びマーク表示領域１２２での背景部分ＥＢＫ及び２つのマークＣＭＲ、ＣＭＬ（図３参照）の表示制御を行う。制御ユニット１０には、第１可動半円枠体２０ａに対して設けられた第１フォトセンサ３１ａ（ＰＳＲ１）及び第２フォトセンサ３２ａ（ＰＳＲ２）、及び第２可動半円枠体２０ｂに対して設けられた第１フォトセンサ３１ｂ（ＰＳＬ１）及び第２フォトセンサ３２ｂ（ＰＳＬ２）が接続されている。
【００４２】
制御ユニット１０は、第１可動半円枠体２０ａの駆動機構（第１モータ１５を含む）の駆動制御手段として機能し、第１可動半円枠体２０ａに対して設けられた第１フォトセンサ３１ａ（ＰＳＲ１）及び第２フォトセンサ３２ａ（ＰＳＲ２）からの検出信号に基づいて第１モータ１５に対する駆動制御信号出力する。そして、この駆動制御信号に基づいてモータドライバ１４が第１モータ１５を駆動する。また、制御ユニット１０は、第２可動半円枠体２０ｂの駆動機構（第２モータ１７を含む）の駆動制御手段としても機能し、第２可動半円枠体２０ｂに対して設けられた第１フォトセンサ３１ｂ（ＰＳＬ１）及び第２フォトセンサ３２ｂ（ＰＳＬ２）からの検出信号に基づいて第２モータ１７に対する駆動制御信号を出力する。そして、この駆動制御信号に基づいてモータドライバ１６が第２モータ１７を駆動する。
【００４３】
制御ユニット１０による第１可動半円枠体２０ａ及び第２可動半円枠体２０ｂの駆動機構（第１モータ１５、第２モータ１７）に対する具体的な制御について、図６を参照して説明する。なお、図６は、第１可動半円枠体２０ａについての動作を示しているが、第２可動半円枠体２０ｂについての動作も同様である。
【００４４】
液晶表示パネル１２の表示画面１２０におけるマーク表示領域１２２に表示される第１マークＣＭＲから発せられる光の第１フォトセンサ３１ａでの検出レベルと第２フォトセンサ３２ａでの検出レベルとの差が所定範囲内に維持される位置に第１可動半円枠体２０ａが位置付けられる（図６（ａ）参照）。マーク表示領域１２２に表示される第１マークＣＭＲを移動させて、例えば、第２フォトセンサ３２ａでの検出レベルが第１フォトセンサ３１ａでの検出レベルより大きくなって、それら検出レベルの差が所定範囲以上になる（図６（ｂ）参照）と、それらの検出レベルの差を前記所定範囲内にすべく、第１フォトセンサ３１ａが第１マークＣＭＲに近づくとともに第２フォトセンサ３２ａが第１マークＣＭＲから遠ざかる方向に第１可動半円枠体２０ａを移動させるように第１モータ１５の駆動制御がなされる。そして、第１モータ１５の動作により、第１可動半円枠体２０ａは、第１フォトセンサ３１ａでの検出レベルと第２フォトセンサ３２ａでの検出レベルとの差が前記所定範囲内に収まるまで（図６（ｃ）参照）移動する。このように、制御ユニット１０は、表示画面１２０のマーク表示領域１２２において第１マークＣＭＲを移動させ、その際、その第１マークＣＭＲから発せられる光の第１フォトセンサ３１ａでの検出レベルと第２フォトセンサ３２ａでの検出レベルとの差分の変化に基づいて第１マークＣＭＲの動きを検出し（マーク動き検出手段）、その第１マークＣＭＲに追従して第１可動半円枠体２０ａが移動するように第１モータ１５の動作を制御する（第１モータ１５の動作制御手段）。また、制御ユニット１０は、同様に、表示画面１２０のマーク表示領域１２２において第２マークＣＭＬを移動させ、その際、その第２マークＣＭＬから発せられる光の第１フォトセンサ３１ｂでの検出レベルと第２フォトセンサ３２ｂでの検出レベルとの差分の変化に基づいて第２マークＣＭＬの動きを検出し（マーク動き検出手段）、その第２マークＭＣＬに追従して第２可動半円枠体２０ｂが移動するように第２モータ１７の動作を制御する（第２モータ１７の動作制御手段）。
【００４５】
このような制御ユニット１０のマーク動き検出手段及び第１モータ１５及び第２モータ１７の動作制御手段としての機能により、第１可動半円枠体２０ａ及び第２可動半円枠体２０ｂは、液晶表示パネル１２の表示画面１２０に対向した状態で、図７（ａ）、（ｂ）、（ｃ）、（ｄ）、（ｅ）に示すように、表示画面１２０のマーク表示領域１２２において移動する第１マークＣＭＲ及び第２マークＣＭＬに追従して移動するようになる。
【００４６】
また、制御ユニット１０は、グラフィックコントローラ１１とともに、図８Ａ及び図８Ｂに示すように、液晶表示パネル１２の画像表示領域１２１での画像の表示制御及びマーク表示領域１２２での前述した第１マークＣＭＲ及び第２マークＣＭＬの表示制御を行う。具体的には、画像表示領域１２１に表示される画像オブジェクトＩＯ１の位置とマーク表示領域１２２に表示される第１マークＣＭＲの位置との位置が関連して、それらの相対的な位置関係が維持されように、また、画像表示領域１２１に表示される画像オブジェクトＩＯ２の位置とマーク表示領域１２２に表示される第２マークＣＭＬの位置とが関連して、それらの相対的な位置関係が維持されるように、画像表示領域１２１での画像オブジェクトＩＯ１、ＩＯ２の表示制御と、マーク表示領域１２２での第１マークＣＭＲ及び第２マークＣＭＬの表示制御がなされる。これにより、画像表示領域１２１における画像オブジェクトＩＯ１とマーク表示領域１２２における第１マークＣＭＲとが同じように、また、画像表示領域における画像オブジェクトＩＯ２とマーク表示領域１２２における第２マークＣＭＬとが同じように、それぞれ移動するようになる（図８Ａ及び図８Ｂ参照）。なお、画像オブジェクトやマークの移動は、表示画面１２０における各画素の点滅によってなされ得る。
【００４７】
画像表示領域１２１に表示される画像オブジェクトＩＯ１とマーク表示領域１２２に表示される第１マークＣＭＲとの相対的な位置関係は、第１マークＣＭＲに対して位置付けられる第１可動半円枠体２０ａ（図６及び図７参照）に対して、画像オブジェクトＩＯ１が所定の位置関係をもって表示され得るように決められる。また、画像表示領域１２１に表示される画像オブジェクトＩＯ２とマーク表示領域１２２に表示される第２マークＣＭＬとの相対的な位置関係は、第２マークＣＭＬに対して位置付けられる第２可動半円枠体２０ｂ（図６及び図７参照）に対して、画像オブジェクトＩＯ２が所定の位置関係をもって表示され得るように決められる。
【００４８】
マーク表示領域１２２での表示制御は、第１マークＣＭＲの移動範囲においては、背景部分ＥＢＫＲが画像オブジェクトＩＯ１における最も暗い部分の階調値に、第１マークＣＭＲが画像オブジェクトＩＯ１における最も明るい部分の階調値に制御される。また、第２マークＣＭＬの移動範囲においては、背景部分ＥＢＫＬが画像オブジェクトＩＯ２における最も暗い部分の階調値に、第２マークＣＭＬが画像オブジェクトＩＯ２における最も明るい部分の階調値に制御される。
【００４９】
制御ユニット１０は、図９に示す手順に従って液晶表示パネル１２の表示画面１２０での画像及びマークの表示制御を行うとともに、図１０に示す手順従って、第１可動半円枠体２０ａ及び第２可動半円枠体２０ｂの動作制御を行う。
【００５０】
第１可動半円枠体２０ａ及び第２可動半円枠体２０ｂは、液晶表示パネル１２の表示画面１２０におけるマーク表示領域１２２に表示される第１マークＣＭＲ及び第２マークＣＭＬによって（図６及び図７参照）、初期状態において、例えば、図１１（ａ）（ｂ）に示すように、表示画面１２０の略中央部に位置付けられ、それらが接合してリング状の枠体を形成している。この状態で、例えば、車両のイグニッションキーのオン操作がなされると、図９に示す手順に従う液晶表示パネル１２での表示についての処理が開始される。
【００５１】
図９において、制御ユニット１０は、初期画面の画像データを取得し（Ｓ１１）、その画像データに含まれる画像オブジェクトの最も明るい部分の階調値（最大階調値）と、最も暗い部分の階調値（最小階調値）とを取得する（Ｓ１２）。そして、制御ユニット１０は、例えば、図１２（ａ）、（ｂ）に示すように第１可動半円枠体２０ａ及び第２可動半円枠体２０ｂを表示画面１２０の略中央部に引き続き維持するように、前記最小階調値の背景部分に対して前記最大階調値となる第１マークＣＭＲ及び第２マークＣＭＬのマーク表示領域１２２での表示制御を行う（Ｓ１３ｂ：第２画像表示制御手段）。そして、制御ユニット１０は、第１マークＣＭＲ及び第２マークＣＭＬの位置に基づいて、第１可動半円枠体２０ａ及び第２可動半円枠体２０ｂに対して所定の位置関係となるべき画像オブジェクトを含む初期画面画像を画像表示領域１２１に表示するための表示制御を行う（Ｓ１３ａ：第１画像表示制御手段（表示画像オブジェクト位置制御手段））。これにより、例えば、図１２（ｂ）に示すように、第１可動半円枠体２０ａ及び第２可動半円枠体２０ｂが接合して形成されるリング状の枠体の内側に画像オブジェクトＩＯ０（例えば、車体全体像を表す画像オブジェクト）が配置されるとともに、該リング状の枠体の外側に各種始動時チェックの結果等の情報が配置されるように、画像表示領域１２１において初期画面画像が表示される。
【００５２】
その後、制御ユニット１０は、表示を変更すべきであるか否か（Ｓ１４）及び操作部１３において画像表示終了の操作がなされたか否か（Ｓ１５）を繰り返し判定する。その過程で、前述した初期画面画像の表示開始から所定時間が経過して、表示を変更すべきであると判定すると（Ｓ１４でＹＥＳ）、制御ユニット１０は、その変更後の新たな画像データ、例えば、車両の走行に必要なスピードメータの画像オブジェクトを含む画像を表す画像データを取得する（Ｓ１１）。そして、制御ユニット１０は、図１３（ａ）、（ｂ）に示すように、第１可動半円枠体２０ａ及び第２可動半円枠体２０ｂを表示画面１２０の略中央部に維持するため、前述したのと同様に第１マークＣＭＲ及び第２マークＣＭＬのマーク表示領域１２２での表示制御を継続して行う（Ｓ１２、Ｓ１３ｂ）。そして、制御ユニット１０は、第１マークＣＭＲ及び第２マークＣＭＬの位置に基づいて、例えば、図１３（ｂ）に示すように、第１可動半円枠体２０ａ及び第２可動半円枠体２０ｂが接合して形成されるリング状の枠体の内側に、前記初期画面の画像オブジェクトＩＯ０（図１２（ｂ）参照）に代えて、スピードメータの画像オブジェクトＩＯ１（以下スピードメータ・オブジェクトＩＯ１という）が配置されるように画像表示領域１２１での表示制御を行う（Ｓ１３ａ）。
【００５３】
その後、制御ユニット１０は、例えば、スピードメータ・オブジェクトＩＯ１の正規の位置（図１４（ｂ）参照）への移動のため、表示を変更すべきであると判定する（Ｓ１４でＹＥＳ）。すると、制御ユニット１０は、前記スピードメータ・オブジェクトＩＯ１を含む新たな画像データを取得する（Ｓ１１）。そして、制御ユニット１０は、表示に供される画像データから、画像表示領域１２１において移動させるべきスピードメータ・オブジェクトＩＯ１において最も明るい部分の階調値（最大階調値）と、最も暗い部分の階調値（最小階調値）を取得する（Ｓ１２）。そして、制御ユニット１０は、画像表示領域１２１に表示されるスピードメータ・オブジェクトＩＯ１と、マーク表示領域１２２において前記最小階調値の背景部分ＥＢＫＲに表示される前記最大階調値の第１マークＣＭＲとが所定の位置関係を維持しつつ、例えば、スピードメータ・オブジェクトＩＯ１が画像表示領域１２１において中央部から右方向に移動するよう表示制御を行う（Ｓ１３ａ）とともに、第１マークＣＭＲがマーク表示領域１２２において中央部から右方向に移動するよう表示制御を行う（Ｓ１３ｂ）（図８Ａ及び図８Ｂ参照）。
【００５４】
なお、第２マークＣＭＬは、画像表示領域１２１に関連する画像オブジェクトは表示されてはいないが、前記マークの表示制御（Ｓ１３ｂ）により、第１マークＣＭＲと同じ階調値にて表示され、マーク表示領域１２２の中央部から、前記第１マークＣＭＲの移動方向と逆方向（右方向）に対称的に移動する。
【００５５】
上記のように、前記スピードメータ・オブジェクトＩＯ１の画像表示領域１２１での移動とともに第１マークＣＭＲがマーク表示領域１２２において移動する過程で、制御ユニット１０は、図１０に示す手順に従って、第１可動半円枠体２０ａの動作制御を行う。図１０において、制御ユニット１０は、第１可動半円枠体２０ａに設けられた第１フォトセンサ３１ａでの前記第１マークＣＭＲ（最大階調値）から発せられる光の検出レベルＬｐｓ１を取得し（Ｓ２１）、第１可動半円枠体２０ａに設けられた第２フォトセンサ３２ａでの前記第１マークＣＭＲ（最大階調値）から発せられる光の検出レベルＬｐｓ２を取得する（Ｓ２２）。そして、制御ユニット１０は、前記両検出レベルの差（Ｌｐｓ１−Ｌｐｓ２）が所定範囲（−α〜α）の上限を定める値αより大きいか否かを判定する（Ｓ２３）。この場合、第１マークＣＭＲがマーク表示領域１２２において中央部から右方向に移動しているので、第２フォトセンサ３２ａより第１マークＣＭＲの移動方向側に配置される第１フォトセンサ３１ａでの検出レベルＬｐｓ１が第２フォトセンサ３２ａでの検出レベルより大きくなる。このため、制御ユニット１０は、前記検出レベルＬｐｓ１と前記検出レベルＬｐｓ２との差（Ｌｐｓ１−Ｌｐｓ２）が、上限値αより大きいと判定し（Ｓ２３でＹＥＳ）、第１モータ１５をｎステップだけ右回転させるべく駆動制御信号を出力する（Ｓ２４）。この駆動制御信号に基づいてモータドライバ１４が第１モータ１５を駆動すると、第１可動半円枠体２０ａが中央部から右方向に移動する。そして、制御ユニット１０は、後述するカウンタＫをリセットする（Ｓ２５）。その後、制御ユニット１０は、上述した処理（Ｓ２１〜Ｓ２５）を繰り返し実行する。その結果、第１モータ１５が継続的に回転し、それによって第１可動半円枠体２０ａは、マーク表示領域１２２において移動する第１マークＣＭＲに追従して中央部から右方向に順次移動する（図６、図７参照）。
【００５６】
このようにして第１可動半円枠体２０ａが、マーク表示領域１２２を移動する第１マークＣＭＲに追従して移動するので、図１３（ａ）、（ｂ）に示す状態から図１４（ａ）、（ｂ）に示す状態に変化するように、画像表示領域１２１に表示されるスピードメータ・オブジェクトＩＯ１と第１可動半円枠体２０ａとがともに、スピードメータ・オブジェクトＩＯ１の外周縁と第１可動半円枠体２０ａとが合致した状態を維持しつつ移動する。なお、このとき、マーク表示領域１２２を第１マークＣＭＲと逆方向に移動する第２マークＣＭＬに追従して第２可動半円枠体２０ｂも第１可動半円枠体２０ａの移動方向と逆方向に移動する（図１０に示すＳ２１〜Ｓ２５参照）。スピードメータ・オブジェクトＩＯ１と第１マークＣＭＲが正規の位置に達すると、画像表示領域１２１においてスピードメータ・オブジェクトＩＯ１が停止するとともに、マーク表示領域１２２において第１マークＣＭＲ及び第２マークＣＭＬが停止する（図９におけるＳ１３ａ、Ｓ１３ｂでの処理）。
【００５７】
このとき、制御ユニット１０は、停止した前記第１マークＣＭＲから発せられる光の第１フォトセンサ３１ａ及び第２フォトセンサ３２ａでの検出レベルの差（Ｌｐｓ１−Ｌｐｓ２）が所定範囲内に収まっていると判定する（Ｓ２３でＮＯ、Ｓ２６でＮＯ）と、カウンタＫを＋１だけインクリメンし（Ｓ２８）、そのカウント値Ｋが所定値Ｋｔｈに達したか否かを判定する（Ｓ２９）。上記のように第１マークＣＭＲが停止している状態で、第１フォトセンサ３１ａ及び第２フォトセンサ３２ａでの検出レベルの差（Ｌｐｓ１−Ｌｐｓ２）が所定範囲内に収まっているとの判定が繰り返しなされ（Ｓ２１〜Ｓ２３、Ｓ２６、Ｓ２８、Ｓ２９）、前記カウンタＫのカウント値が所定値Ｋｔｈに達すると（Ｓ２９でＹＥＳ）、第１可動半円枠体２０ａの動作制御が終了する。即ち、第１可動半円枠体２０ａが停止する。なお、第２可動半円枠体２０ｂについても同様の動作制御がなされ、マーク表示領域１２２において停止する第２マークＣＭＬに対応して第２可動半円枠体２０ｂも停止する。その結果、例えば、図１４（ｂ）に示すように、第１可動半円枠体２０ａと第２可動枠体２０ｂとが離れた状態となり、表示画面１０の画像表示領域１２１においてスピードメータ・オブジェクトＩＯ１が、その外周縁を第１可動半円枠体２０ａに合致させた状態で示される。
【００５８】
図９に戻って、例えば、図１４（ｂ）に示すように正規位置でのスピードメータ・オブジェクトＩＯ１、第１マークＣＭＲ及び第２マークＣＭＬを表示させるための表示制御（Ｓ１３：Ｓ１３ａ、Ｓ１３ｂ）を行った後、制御ユニット１０は、例えば、タコメータの画像オブジェクトを表示するため、表示を変更すべきであると判定し（Ｓ１４でＹＥＳ）、タコメータの画像オブジェクトを含む新たな画像データを取得する（Ｓ１１）。そして、制御ユニット１０は、その画像データを用いて、第２マークＣＭＬの表示位置に基づいた表示制御（Ｓ１２、Ｓ１３ａ、１３ｂ）を行い、例えば、図１５（ａ）、（ｂ）に示すように、第１可動半円枠体２０ａから離れた第２可動半円枠体２０ｂに外周縁が合致する状態でタコメータの画像オブジェクトＩＯ２（以下、タコメータ・オブジェクトＩＯ２という）が画像表示領域１２１に表示される。
【００５９】
これにより、図１５（ｂ）に示すように、液晶表示パネル１２の表示画面１２０（画像表示領域１２１）には、スピードメータ・オブジェクトＩＯ１とタコメータ・オブジェクトＩＯ２とが並んで表示され、そのスピードメータ・オブジェクト１Ｏ１の外周縁に合致するように第１可動半円枠体２０ａが位置付けられるとともに、タコメータ・オブジェクトＩＯ２の外周縁に合致するように第２可動半円枠体２０ｂが位置付けられるようになる。
【００６０】
なお、この状態で、他の画像オブジェクトも画像データに基づいた制御ユニット１０の表示制御により、液晶表示パネル１２の表示画面１２０（画像表示領域１２１）に表示される。また、車両の走行動作に基づいた制御ユニット１０の表示制御により、スピードメータ・オブジェクトＩＯ１及びタコメータ・オブジェクトＩＯ２に含まれる指針の画像オブジェクトが表示画面１２０（画像表示領域１２１）で動くようになる。
【００６１】
その後、例えば、操作部１３においてナビゲーションの起動操作がなされると、図９に示す手順に従って表示制御に係る処理を実行する制御ユニット１０は、表示を変更すべきであると判定する（Ｓ１４でＹＥＳ）。そして、制御ユニット１０は、例えば、前記スピードメータ・オブジェクトＩＯ１及びタコメータ・オブジェクトＩＯ２を含む新たな画像データを取得し（Ｓ１１）、その画像データを用いて表示制御（Ｓ１２、Ｓ１３ａ、Ｓ１３ｂ）を実行する。この表示制御により、例えば、図１５（ｂ）に示す状態から図１６（ｂ）に示す状態に変化するように、第１マークＣＭＲとともにスピードメータ・オブジェクトＩＯ１が正規の位置から更に右方向に移動し、第２マークＣＭＬとともにタコメータ・オブジェクトＩＯ２が正規の位置から更に左方向に移動する。このとき、制御ユニット１０は、図１０に示す前述した処理（Ｓ２１〜Ｓ２５、Ｓ２６、Ｓ２８、Ｓ２９）を繰り返し実行して、第１可動半円枠体２０ａ及び第２可動半円枠体２０ｂの動作を制御する。これにより、第１マークＣＭＲに追従する第１可動半円枠体２０ａが、図１５（ａ）、（ｂ）に示す状態から図１６（ａ）、（ｂ）に示す状態に変化するように、画像表示領域１２１に表示されるスピードメータ・オブジェクトＩＯ１と所定の位置関係、即ち、スピードメータ・オブジェクトＩＯ１の外周縁と合致する位置関係を維持しつつ、更に、右方向に移動する。同時に、第２マークＣＭＬに追従する第２可動半円枠体２０ｂが、画像表示領域１２１に表示されるタコメータ・オブジェクトＩＯ２と所定の位置関係、即ち、タコメータ・オブジェクトＩＯ２の外周縁と合致する位置関係を位置しつつ、更に左方向に移動する。
【００６２】
その後、ナビゲーションに係る別途の表示制御によって、例えば、図１６（ｂ）に示すように、表示画面１２０の画像表示領域１２１における、スピードメータ・オブジェクトＩＯ１とタコメータ・オブジェクトＩＯ２との間の領域に、車両ナビゲーションに係る道路案内地図画像が表示される。
【００６３】
図１５（ａ）、（ｂ）に示すように、表示画面１２０の画像表示領域１２１において正規の位置にスピードメータ・オブジェクトＩＯ１及びタコメータ・オブジェクトＩＯ２が表示されるとともに、第１可動半円枠体２０ａ及び第２可動半円枠体２０ｂがそれら画像オブジェクトＩＯ１、ＩＯ２に対応するように位置づけられた状態において、例えば、車両周辺の監視映像の表示操作が操作部１３においてなされると（あるいは、トランスミッションのシフトレバーがリア（Ｒ）位置に操作されると）、図９に示す手順にて表示制御に係る処理を実行する制御ユニット１０は、表示を変更すべきであると判定する（Ｓ１４でＹＥＳ）。そして、制御ユニット１０は、前記スピードメータ・オブジェクトＩＯ１を含む変更に係る新たな画像データを取得し（Ｓ１１）、その新たな画像データを用いて表示制御（Ｓ１２、Ｓ１３ａ、１３ｂ）を実行する。この表示制御により、例えば、図１７（ａ）、（ｂ）に示すように、第１可動半円枠体２０ａに対応したスピードメータ・オブジェクトＩＯ１の表示が維持される一方、第１可動半円枠体２０ａから離れた第２可動半円枠体２０ｂに対応したタコメータ・オブジェクトＩＯ２が消される。
【００６４】
そして、引き続き前記表示制御（Ｓ１３：Ｓ１３ａ、Ｓ１３ｂ）により、第１マークＣＭＲとともにスピードメータ・オブジェクトＩＯ１が前記正規の位置（図１７（ｂ）参照）から左方向に移動し、第２マークＣＭＬの位置に基づいて、図１８（ｂ）に示すように、前記スピードメータ・オブジェクトＩＯ１の外縁が第２可動半円縁体２０ｂに合致した状態で、第１マークＣＭＲとともにスピードメータ・オブジェクトＩＯ１の移動が停止する。このとき、制御ユニット１０は、図１０に示す手順に従って、第１可動半円枠体２０ａの動作制御を行う。即ち、制御ユニット１０は、スピードメータ・オブジェクトＩＯ１とともに移動する第１マークＣＭＲから発せられる光の第１フォトセンサ３１ａでの検出レベルＬｐｓ１と第２フォトセンサ３２ａでの検出レベルＬｐｓ２との差（Ｌｐｓ１−Ｌｐｓ２）が所定範囲の上限値αを越えているか否かを判定する（Ｓ２１、Ｓ２２、Ｓ２３）。この場合、第１マークＣＭＲがマーク表示領域１２２において左方向に移動するので、第１フォトセンサ３１ａより第１マークＣＭＲの移動方向側に配置される第２フォトセンサ３２ａでの検出レベルＬｐｓ２が第１フォトセンサ３１ａでの検出レベルＬｐｓ１より大きくなる。このため、制御ユニット１０は、前記差（Ｌｐｓ１−Ｌｐｓ２）が前記上限値αを越えていないと判定し（Ｓ２３でＮＯ）、更に、前記差（Ｌｐｓ１−Ｌｐｓ２）が前記所定範囲（−α〜α）の下限値−αより小さいと判定する（Ｓ２６でＹＥＳ）。すると、制御ユニット１０は、第１モータ１５をｎステップだけ左回転させるべく駆動制御信号を出力する（Ｓ２７）。この駆動制御信号に基づいてモータドライバ１４が第１モータ１５を駆動すると、第１可動半円枠体２０ａが左方向に移動する。そして、制御ユニット１０は、カウンタＫをリセットする（Ｓ２５）。その後、制御ユニット１０は、上述した処理（Ｓ２１〜Ｓ２３、Ｓ２６、Ｓ２７、Ｓ２５）を繰り返し実行する。その結果、第１モータ１５が継続的に回転し、それによって第１可動半円枠体２０ａは、マーク表示領域１２２において移動する第１マークＣＭＲに追従して左方向に順次移動する。
【００６５】
このようにして第１可動半円枠体２０ａが、マーク表示領域１２２を移動する第１マークＣＭＲに追従して移動するので、例えば、図１７（ａ）、（ｂ）に示す状態から図１８（ａ）、（ｂ）に示す状態に変化するように、画像表示領域１２１に表示されるスピードメータ・オブジェクトＩＯ１と第１可動半円枠体２０ａとがともに、スピードメータ・オブジェクトＩＯ１の外周縁と第１可動半円枠体２０ａとが合致した状態を維持しつつ、第１可動半円枠体２０ａが第２枠体半円枠体２０ｂに接合するまで移動する。前述したように、スピードメータ・オブジェクトＩＯ１が第１マークＣＭＲとともに停止すると、制御ユニット１０は、停止した前記第１マークＣＭＲから発せられる光の第１フォトセンサ３１ａ及び第２フォトセンサ３２ａでの検出レベルの差（Ｌｐｓ１−Ｌｐｓ２）が所定範囲に収まっていると判定する（Ｓ２３でＮＯ、Ｓ２６でＮＯ）し、カウンタＫを＋１だけインクリメントする（Ｓ２８）。その後、第１マークＣＭＲの停止が維持している状態で、前記検出レベルの差（Ｌｐｓ１−Ｌｐｓ２）が所定範囲におさまっているとの判定が繰り返しなされ（Ｓ２１〜Ｓ２３、Ｓ２６、Ｓ２８、Ｓ２９）、前記カウンタＫのカウント値が所定値Ｋｔｈに達すると（Ｓ２９でＹＥＳ）、第１可動半円枠体２０ａの動作制御が終了する。即ち、第１可動半円枠体２０ａが停止する。その結果、図１８（ｂ）に示すように、第１可動半円枠体２０ａと第２可動半円枠体２０ｂとが接合して形成される円形の枠体内にスピードメータ・オブジェクトＩＯ１が表示される。
【００６６】
更に、引き続き前記表示制御（Ｓ１３：Ｓ１３ａ、Ｓ１３ｂ）により、第１マークＣＭＲ、第２マークＣＭＬ及びスピードメータ・オブジェクトＩＯ１がそれぞれの位置関係を維持しつつ、更に左方向に移動して、図１９（ｂ）に示すように、スピードメータ・オブジェクトＩＯ１が画像表示領域１２１の左端部に達した状態で停止する。このとき、制御ユニット１０は、図１０に示す前述した処理Ｓ２１〜Ｓ２３、Ｓ２６、Ｓ２７、Ｓ２５を繰り返し実行して第１可動半円枠体２０ａの動作を制御するとともに、図１０に示す前述した処理Ｓ２１〜Ｓ２５を繰り返し実行して、第２可動半円枠体２０ｂの動作を制御する。これにより、相互に接合して円形の枠体を形成した状態で前記第１マークＣＭＲ及び第２マークＣＭＬに追従する第１可動半円枠体２０ａ及び第２可動半円枠体２０ｂが、図１８（ａ）、（ｂ）に示す状態から図１９（ａ）、（ｂ）に示す状態に変化するように、画像表示領域１２１に表示されるスピードメータ・オブジェクトＩＯ１と所定の位置関係、即ち、該スピードメータ・オブジェクトＩＯ１の外周縁と合致する位置関係を維持しつつ、左方向に移動する。
【００６７】
そして、前述したように、スピードメータ・オブジェクトＩＯ１が第１マークＣＭＲ及び第２マークＣＭＬとともに画像表示領域１２１の左端部で停止すると、第１可動半円枠体２０ａに対して設けられた第１フォトセンサ３１ａ及び第２フォトセンサ３２での前記第１マークＣＭＲからの光の検出レベルの差（Ｌｐｓ１−Ｌｐｓ２）が所定範囲（−α〜α）に収まった状態となって、第１可動半円枠体２０ａが停止する（Ｓ２１〜Ｓ２３、Ｓ２６、Ｓ２８、Ｓ２９参照）。また、同時に、第２可動半円枠体２０ｂに対して設けられた第１フォトセンサ３１ｂ及び第２フォトセンサ３２ｂでの前記第２マークＣＭＬからの光の検出レベルの差（Ｌｐｓ１−Ｌｐｓ２）が所定範囲（−α〜α）に収まった状態となって、第２可動半円枠体２０ｂが停止する（Ｓ２１〜Ｓ２３、Ｓ２６、Ｓ２８、Ｓ２９参照）。その結果、図１９（ｂ）に示すように、表示画面１２０の左端部において、第１可動半円枠体２０ａと第２可動半円枠体２０ｂとが接合して形成される円形の枠体内にスピードメータ・オブジェクトＩＯ１が表示される。
【００６８】
車両には複数のカメラが設置されており、各カメラからの映像信号に基づいた制御ユニット１０による車両周辺の監視映像の表示制御によって、例えば、図１７（ｂ）に示す状態から図１８（ｂ）に示す状態に変化するように、スピードメータ・オブジェクトＩＯ１及び第１可動半円枠体２０ａの左方向の移動と同調して、車両周囲の撮影映像Ｉ１が、表示画面１２０（画像表示領域１２１）の右側端から左方向に移動するようにして表示される。更に、図１８（ｂ）に示す状態から図１９（ｂ）に示す状態に変化するように、スピードメータ・オブジェクトＩＯ１、第１可動半円枠体２０ａ及び第２可動半円枠体２０ｂの左方向の移動と同調して、車両周囲の撮影映像Ｉ１と車両後方の撮影映像Ｉ２とが左方向に移動するようにして表示される。
【００６９】
上述したような車載表示装置によれば、液晶表示パネル１２の表示画面１２０に表示されるスピードメータ・オブジェクトＩＯ１及びタコメータ・オブジェクトＩＯ２の画像オブジェクトを第１可動半円枠体２０ａ及び第２可動半円枠体２０ｂの可動体と一体的な臨場感のある表示物として利用者に提供することができる。そして、液晶表示パネル１２の表示画面１２０に対向して配置された第１可動半円枠体２０ａ及び第２可動半円枠体２０ｂは、表示画面１２０のマーク表示領域１２２に表示される第１マークＣＭＲ及び第２マークＣＭＬの当該マーク表示領域１２２での動きに応じて移動し、表示画面１２０の画像表示領域１２１に表示されるスピードメータ・オブジェクトＩＯ１及びタコメータ・オブジェクトＩＯ２の表示位置が、マーク表示領域１２２に表示される第１マークＣＭＲ及び第２マークＣＭＬの位置に関連して、それらマークＭＣＲ、ＭＣＬの位置との所定の関係が維持された状態で、前記スピードメータ・オブジェクトＩＯ１及びタコメータ・オブジェクトＩＯ２が画像表示領域１２１に表示される。その結果、液晶表示パネル１２の表示画面１２０におけるマーク表示領域１２２に表示される前記第１マークＣＭＲ及び第２マークＣＭＬを介して、前記画像表示領域１２１に表示されスピードメータ・オブジェクトＩＯ１及びタコメータ・オブジェクトＩＯ２の動きと、表示画面１２０に対向して配置される第１可動半円枠体２０ａ及び第２可動半円枠体２０ｂの動きとが対応づけられる。
【００７０】
表示画面１２０の画像表示領域１２１及びマーク表示領域１２２が単一の液晶表示パネル１２に含まれるものであるので、画像表示領域１２１の応答速度特性とマーク表示領域１２２の応答速度特性とは同じである。従って、例えば、図２０ＡにＴＮ方式及びＶＡ方式で駆動される液晶表示パネルの応答速度特性が示され、また、図２１ＡにＩＰＳ方式で駆動される液晶表示パネルの応答速度特性が示されるように、温度や駆動方式に応じて液晶表示パネル１２の応答速度特性が変わっても、画面表示領域１２１に表示される画像オブジェクトの移動特性とマーク表示領域１２２に表示されるマークの移動特性とは大きく異なることがない。そのため、従来のように温度値や駆動方式毎に定められる補正データや、可動体（第１可動半円枠体２０ａ及び第２可動半円枠体２０ｂ）の位置検出に係る補正データ等を予め記憶する必要ななく、第１可動半円枠体２０ａ及び第２可動半円枠体２０ｂと表示画面１２０（画像表示領域１２１）に表示されるスピードメータ・オブジェクトＩＯ１及びタコメータ・オブジェクトＩＯ２とを容易に精度良く対応させることができる。
【００７１】
図２０ＢにＴＮ方式及びＶＡ方式で駆動される液晶表示パネルの応答速度特性が示され、また、図２１ＢにＩＰＳ方式で駆動される液晶表示パネルの応答速度特性が示されるように、階調値の変化量が大きいほど、例えば、階調値が１０％から９０％に変化する場合のほうが、階調値が３０％から７０％に変化する場合より、その応答速度が大きい（応答特性が良好）。このため、前述したように、画像表示領域１２１において表示されたスピードメータ・オブジェクトＩＯ１、タコメータ・オブジェクトＩＯ２が移動する際に、マーク表示領域１２２では、背景部分ＥＢＫが前記画像オブジェクトの最も暗い部分の階調値に制御され、各マークＣＭＲ、ＣＭＬが前記画像オブジェクトの最も明るい部分の階調値に制御されるので、マーク表示領域１２２での各マークＣＭＲ、ＣＭＬの移動特性が良好となり、画像表示領域１２１に表示されるスピードメータ・オブジェクトＩＯ１、タコメータ・オブジェクトＩＯ２とマーク表示領域１２１に表示されるマークＣＭＲ、ＣＭＬとの動きとを比較的良好に対応させることができる。その結果、前記マーク表示領域１２２に表示されるマークＣＭＲ、ＣＭＬの動きに応じて移動する前記第１可動半円枠体２０ａ及び第２可動半円枠体２０ｂと、画像表示領域１２１に表示されるスピードメータ・オブジェクトＩＯ１及びタコメータ・オブジェクトＩＯ２の動きとをより良好に対応させることができる。
【００７２】
前記マーク表示領域１２２において、背景部分ＥＢＫを画像表示領域１２１に表示される画像オブジェクトの最も暗い部分の階調値に制御し、各マークＣＭＲ、ＣＭＬを前記画像オブジェクトの最も明るい部分の階調値に制御したが、これに限られない。前記画像オブジェクトにおける所定程度以上、例えば、図２０Ｂ及び図２１Ｂに示す特性における、３０％と７０％との間の差以上の差をもった明部及び暗部のうち、当該暗部の階調値に前記背景部分ＥＢＫを制御し、前記マークＣＭＲ、ＣＭＬを前記明部の階調値に制御することができる。また、マーク表示領域１２２の背景部分を所定の階調値に、また、前記マークＣＭＲ、ＣＭＬを所定の階調値に固定的に制御することもできる。
【００７３】
なお、前述した例では、２つのフォトセンサ３１ａ（３１ｂ）、３２ａ（３２ｂ）を用いてマークＣＭＲ（ＣＭＬ）の動きを検出しているが、更に、３つ以上のフォトセンサを用い、それぞれのフォトセンサでの前記マークＣＭＲ（ＣＭＬ）からの光の検出レベルの変化（光検出の有無の状態）に応じて当該マークＣＭＲ（ＣＭＬ）の動きを検出するようにしてもよい。更に、マーク表示領域１２２に表示される（光を発する）マークＣＭＲを外方から検出できるものであれば、他の手法であってもよい。
【産業上の利用可能性】
【００７４】
以上、説明したように、本発明に係る表示装置は、可動体と表示画面に表示される画像オブジェクトとを容易に精度良く対応させることができるという効果を有し、液晶表示パネルの表示画面に画像を表示する表示装置として有用である。
【符号の説明】
【００７５】
１０  制御ユニット
１１  グラフィックコントローラ
１２  液晶表示パネル（ＬＣＤ）
１３  操作部
１４、１６  モータドライバ
１５  第１モータ
１７  第２モータ
１８  第１スクリュー
１９  第２スクリュー
２０ａ  第１可動半円枠体（可動体）
２０ｂ  第２可動半円枠体（可動体）
２１ａ  第１支持部
２１ｂ  第２支持部
２２ａ  第１螺子スリーブ
２２ｂ  第２螺子スリーブ
３１ａ、３１ｂ  第１フォトセンサ（第１光検出器）
３２ａ、３２ｂ  第２フォトセンサ（第２光検出器）
１２０  表示画面
１２１  画像表示領域（第１表示領域）
１２２  マーク表示領域（第２表示領域）
【図１Ａ】
0005971700.tif 000002
【図１Ｂ】
0005971700.tif 000003
【図２】
0005971700.tif 000004
【図３】
0005971700.tif 000005
【図４】
0005971700.tif 000006
【図５】
0005971700.tif 000007
【図６】
0005971700.tif 000008
【図７】
0005971700.tif 000009
【図８Ａ】
0005971700.tif 000010
【図８Ｂ】
0005971700.tif 000011
【図９】
0005971700.tif 000012
【図１０】
0005971700.tif 000013
【図１１】
0005971700.tif 000014
【図１２】
0005971700.tif 000015
【図１３】
0005971700.tif 000016
【図１４】
0005971700.tif 000017
【図１５】
0005971700.tif 000018
【図１６】
0005971700.tif 000019
【図１７】
0005971700.tif 000020
【図１８】
0005971700.tif 000021
【図１９】
0005971700.tif 000022
【図２０Ａ】
0005971700.tif 000023
【図２０Ｂ】
0005971700.tif 000024
【図２１Ａ】
0005971700.tif 000025
【図２１Ｂ】
0005971700.tif 000026